(57)【要約】【課題】ケースに入っている状態においても、装身具本体の美しさを引き出すことが可能な装身具用ケースを提供すること。【解決手段】  装身具をその位置を固定しつつ収容可能な本体部（２）と、該本体部（２）に開閉自在に連結された蓋体部（３）と、該蓋体部（３）に備えた照明手段（６）と、該照明手段（６）を作動させるための電源部（７）と、前記照明手段（６）への電源の供給及び遮断を操作するためのスイッチ部（８）と、を具備した装身具用ケースであって、前記スイッチ部（８）は、前記蓋体部（３）又は本体部（２）に備えた押圧部（２０２）の作用により、蓋体部（３）を開くことによりオンになるとともに蓋体部（３）を閉じることによりオフになり、前記照明手段（６）は、前記本体部（２）内に収容した装身具（１３）に向けて光を照射可能な配置としたことを特徴とする。【選択図】図１
2006167219.tif 000002
【特許請求の範囲】
【請求項１】
装身具をその位置を固定しつつ収容可能な本体部（２）と、
該本体部（２）に開閉自在に連結された蓋体部（３）と、
該蓋体部（３）に備えた照明手段（６）と、
該照明手段（６）を作動させるための電源（７）と、
前記照明手段（６）への電源の供給及び遮断を操作するためのスイッチ部（８）と、を具備した装身具用ケースであって、
前記スイッチ部（８）は、前記蓋体部（３）又は本体部（２）に備えた押圧部（２０２）の作用により、蓋体部（３）を開くことによりオンになるとともに蓋体部（３）を閉じることによりオフになり、
前記照明手段（６）は、前記本体部（２）内に収容した装身具（１３）に向けて光を照射可能な配置とした、ことを特徴とする装身具用ケース。
【請求項２】
前記電源（７）を蓋体部（３）内又は本体部（２）内に設置したことを特徴とする請求項１に記載の装身具用ケース。
【請求項３】
前記電源（７）を着脱自在としたことを特徴とする請求項１又は請求項２に記載の装身具用ケース。
【発明の詳細な説明】
【技術分野】
【０００１】
本発明は装身具用のケースに係り、より詳しくは、本体部と蓋体部により構成される装身具用ケースにおいて、蓋体部の内側に照明手段を備え、これにより、本体部内に収容した状態においても装身具をより輝かせることを可能とした装身具用ケースに関する。
【背景技術】
【０００２】
指輪、ネックレス、ブレスレット等の装身具においては、高額なものは、ケースに入れており、これを購入した者に対しては、ケースに入れた状態で装身具を引き渡すことが一般的であるために、これらの装身具を購入した者は購入した装身具をケースに入れて保管することが可能となる。
【０００３】
そして、このケースは一般的に、商品のグレードが上がるごとに装飾等を凝ったものにしているのが一般的である。
【発明の開示】
【発明が解決しようとする課題】
【０００４】
しかしながら、従来の装身具用ケースでは、ケース自体の装飾等に工夫を置いているものが大部分であり、収容する装身具を、収容した状態で輝かせる等の観点から工夫を凝らした装身具用ケースは存在しなかった。
【０００５】
即ち、特にダイヤモンド等の宝石は、光を反射することによって輝くものであるが、ケースに入っている場合には、蓋が邪魔になること等によって、より効果的に宝石に光を当てることができないため、本来の美しさを見せることが困難なことが多い。
【０００６】
例えば、ショーケース内で装身具をケースに入れた状態で展示している場合などは、展示しているすべての装身具に有効に光を当てて、すべての装身具をより美しく見せることは困難である。
【０００７】
また、例えば外出時に身につける装身具を選ぶときなどは、単にケースの蓋をあけてケース内に入れてある装身具を見ただけでは、蓋が邪魔になって装身具に有効に光が当たらず、そのために、ドレス等に合った最適なものを選ぶことができない場合も考えられる。
【０００８】
更に、他人に装身具を見せる場合において、単に蓋を開け、ケースに入っている状態で見せた場合もまた、ケース内の装身具に有効に光を当てることができずに、その装身具の本来の美しさを伝えることができない場合も考えられる。
【０００９】
そこで、本発明は、ケースに入っている状態においても、装身具本体の美しさを引き出すことが可能な装身具用ケースを提供することを課題としている。
【課題を解決するための手段】
【００１０】
本発明の装身具用ケースは、装身具をその位置を固定しつつ収容可能な本体部と、該本体部に開閉自在に連結された蓋体部と、該蓋体部に備えた照明手段と、該照明手段を作動させるための電源と、前記照明手段への電源の供給及び遮断を操作するためのスイッチ部と、を具備した装身具用ケースであって、
前記スイッチは、前記蓋体部又は本体部に備えた押圧部の作用により、蓋体部を開くことによりオンになるとともに蓋体部を閉じることによりオフになり、
前記照明手段は、前記本体部内に収容した装身具に向けて光を照射可能な配置とした、ことを特徴としている。
【発明の効果】
【００１１】
本発明の装身具用ケースでは、本体部と蓋体部とを備えるケースにおいて、蓋体部に照明手段を備え、蓋体部を開くことにより照明手段を作動させるとともに、その照明に際しては、本体部に収容した装身具に向けて光を照射可能としている。そのために、本発明の装身具用ケースでは、蓋を開くことにより装身具に光を当てることができ、ケースに入っている状態でも装身具をより美しく輝かせることが可能である。
【発明を実施するための最良の形態】
【００１２】
本発明の装身具用ケースでは、本体部と、この本体部に開閉自在に連結した蓋体部を有しており、本体部は、その内部に装身具を固定可能な固定手段を有しており、これにより、装身具を、その位置を固定しつつ収容可能としている。
【００１３】
また、蓋体部にはその内側に照明手段を備えており、この照明手段は、前記本体部に対する傾斜角度等を調整することにより、前記本体部に固定した装身具に向けて光を照射可能としている。
【００１４】
そして、本発明の装身具用ケースでは、前記照明手段に電源を供給するための電源部と、この電源部から照明手段への電源の供給のオン、オフを切り替えるためのスイッチを有しており、このスイッチは、蓋体部を開くことにより、蓋体部又は本体部に備えた押圧部に押されることでオンになり、一方、蓋体部を閉じることにより押圧が解除されてオフになる構成としている。
【００１５】
ここで、電源部を蓋体部内又は本体部内に備えるとともに、この電源部を着脱自在にするとよく、これにより、ケース全体をコンパクトにすることができるとともに、電源部を交換することで長期間に亘って照明手段を作動させることが可能となる。
【実施例１】
【００１６】
本発明の装身具用ケースの実施例について図面を参照して説明すると、図１は本実施例の装身具用ケースを示す斜視図であり、図において１が本実施例の装身具用ケースで、蓋体部を開いた状態を示している。
【００１７】
即ち、本実施例の装身具用ケース１では、その内部に装身具を収容するための本体部２と、この本体部２に開閉自在に連結された蓋体部３とを具備し、本体部２は、上部を開口とした略箱型形状とし、その内部には、装身具を固定しつつ収容するための固定手段４を備えている。
【００１８】
ここで、前記固定手段４について説明すると、本実施例において前記固定手段４としては、略中央部分に細長の窪み４０１が形成されたクッション材を用いており、これを本体部２内に装備している。そして、前記窪み４０１内に、図４に示すように、例えば指輪１３のリング部１３０２を指し込むことにより、本体部２内に指輪１３を固定しつつ収容可能としている。
【００１９】
なお、図１において２０１は、装身具ケース１の内側において、本体部２と蓋体部３との連結部分を覆い隠すための布体であるが、本発明の装身具用ケースでは、これを備えない構成としてもよく、また、本体部２の素材は特に限定されず、木製、厚紙製、布製等、いずれでもよい。
【００２０】
次に、前記蓋体部３について説明すると、図４は、本実施例の装身具用ケース１の構造を説明するための図であり、本体部２及び蓋体部３の側断面図、及び本体部２に固定した、装身具としての指輪１３を示している。そして、本実施例において、前記蓋体部３は、本体部２に対向する側を開口とした略箱型形状としており、その内部には中蓋３０１が装着されており、この中蓋３０１内には基板５が配置されている。
【００２１】
ここで、図３は、前記基板５を説明するためのブロック図であり、本実施例において前記基板５には、照明手段としての電球６が設置されているとともに、この電球６を作動させるための電源としてのボタン電池７、及びスイッチ部８が設置されている。
【００２２】
一方、前記中蓋３０１には、前記電球６に対応した箇所に照明用の小窓３０２が形成されており、これにより、電球６よりの光が本体部２側へ照射されることを可能としている。そして、本実施例においては、電球６及び小窓３０２の位置及び向き、更に、本体部２に対する蓋体部３の傾斜角度を調整して、図４における矢印Ｂに示すように、電球６よりの光が、本体部２内に固定した装身具１３へ照射可能としている。
【００２３】
次に、前記スイッチ部８について説明すると、本実施例における前記スイッチ部８は、前記電球６と接続された接点８０１Ａと、前記電源部７に接続された接点８０１Ｂとを有するとともに、この接点８０１Ａ、８０１Ｂを連通可能な通電板８０２とを有しており、この通電板８０２には、本体部２側に向けて突設させたスイッチ８０３が連設されている。
【００２４】
また、前記通電板８０２には、一端がスイッチ部８の筺体内壁に固定させたスプリング８０４の他端が連結されるとともに、このスプリング８０４は通電板８０２を接点８０１Ａ、８０１Ｂ側に付勢しており、通常の場合においては通電板８０２がそれぞれの接点８０１Ａ、８０１Ｂと接触しており、これにより電球６に電源が供給され、電球６は点灯している。そして、スイッチ８０３が押されることにより、通電板８０２はスプリング８０４の付勢力に対向してスプリング８０４側へ、即ち接点８０１Ａ、８０１Ｂとの接続が解除される方向へ移動し、これにより電球６への電源供給が遮断されて電球６の点灯が停止される。
【００２５】
ここで、図２は、前記本体部２と蓋体部３との連結部分を説明するための斜視図であり、即ち、図１における固定手段４及び布体２０１を除いた図であり、本実施例において、前記本体部２と蓋体部３とは、ヒンジ手段１１により開閉自在に連結されており、更に、板バネ１２により、蓋体部３の開閉に際して抵抗力を加えるとともに、蓋体部３を、それを開いた状態及び閉じた状態における位置を固定可能としている。即ち、板バネ１２をヒンジ１１に当接することにより、外力を加えない限り蓋体部３を容易には開けないようにするとともに、開いている状態においても、外力を加えない限り蓋体部３が閉じないようにしている。
【００２６】
次に、図２において８０３は前記スイッチであり、即ち、前述したように、本実施例においては、スイッチ８０３を本体部２側に向けて突設させており、一方、前記本体部２には、蓋体部３を閉じた際に前記スイッチ８０３の先端部が移動してくる箇所に押圧部２０２を有しており、これにより、蓋体部３を閉じることにより、スイッチ８０３は押圧部２０２により押圧され、これにより、前述の機構により電球６の点灯が停止することを可能としている。
【００２７】
従って、本実施例の装身具用ケース１では、蓋体部３を開くことにより電球６が点灯し、一方、蓋体部３を閉じることにより電球６の点灯が停止するため、蓋体部３を開いた状態においては、本体部２に収容した指輪等の装身具に向けて光を照射し、これにより装身具を美しく見せることが可能である。
【００２８】
なお、図２において２０３は、本体部２と蓋体部３の連結部分を外側から覆い隠すための布体であるが、本発明の装身具用ケースでは、これを備えない構成としてもよく、また、蓋体部３の素材は特に限定されず、木製、厚紙製、布製等、いずれでもよい。
【００２９】
次に、本実施例の装身具用ケース１の作用について、図４を参照して説明すると、指輪１３におけるリング部分１３０２を、本体部２内における固定手段４の窪み４０１内に挿入して、これにより本体部２内に指輪１３を固定しつつ収容した状態において、蓋体部３が閉じている場合には、本体部３に形成した押圧部２０２によりスイッチ８０３が押圧されており、これにより、通電板８０２と接点８０１Ａ、８０１Ｂとの接触が解除されて電球６への電源供給はなされず、電球６が点灯することはない。
【００３０】
一方、この状態において蓋体部３を開くと、押圧部２０２による押圧が解除されて、スイッチ８０３はスプリング８０４の付勢力により突設した状態に戻り、これにより通電板８０２と接点８０１Ａ、８０１Ｂとが接触して電球６への電源供給が行われ、電球６が点灯し、電球６の光は、中蓋３０１に形成した小窓３０２を介して、本体部２側へ照射される。
【００３１】
そして、このとき、電球６の位置および向き、更に、本体部２に対する蓋体部３の傾斜角度を調整することによって、図４における矢印Ｂに示すように、電球６よりの光が指輪１３に係止した宝石１３０１に向かうようにすることで、本体部２内に固定した指輪１３における宝石１３０１をより輝かせることが可能となる。
【００３２】
このように、本実施例の装身具用ケース１では、蓋を開くことにより、収容している装身具に光を照射して輝かせることが可能であるために、装飾にのみ工夫を凝らした従来の装身具用ケースと異なり、ケースに入っている状態においても装身具本来の美しさを引き出すことが可能である。
【００３３】
なお、前述の実施例では、電源部を蓋体部３に備えた基板５に設置した場合を説明したが、電源部５は必ずしも蓋体部３に備える必要はなく、本体部２の底部に着脱自在に備えてもよい。
【００３４】
また、スイッチ部８の機構は必ずしも前述の機構には限定されず、蓋体部３を開くことにより電球６へ電源供給が開始可能であればいずれの方法を採用してもよい。
【００３５】
更に、照明手段としては必ずしも電球を用いる必要もなく、その他、例えばＬＥＤ等を用いてもよい。
【００３６】
更に、また、本体部２は、２個以上の、同種の、あるいは別種の装身具を収容可能にしてもよい。
【産業上の利用可能性】
【００３７】
本発明の装身具用ケースでは、蓋体部を開くことにより、蓋体部に備えた照明手段で本体部側に光を照射可能として、これにより本体部に収容した装身具を輝かせることを可能にしているため、装身具、装飾品等の収容に用いるケース全般に適用可能である。
【図面の簡単な説明】
【００３８】
【図１】本発明の装身具用ケースの実施例の斜視図である。
【図２】本発明の装身具用ケースの実施例における本体部と蓋体部の連結部分を説明するための斜視図である。
【図３】本発明の装身具用ケースの実施例における基板を説明するためのブロック図である。
【図４】本発明の装身具用ケースの実施例における本体部及び蓋体部の構造を説明するための概略断面図である。
【符号の説明】
【００３９】
１    装身具用ケース
２    本体部
２０１、２０３    布体
２０２    押圧部
３    蓋体部
３０１    中蓋
３０２    照明用の小窓
４    固定手段
４０１    窪み
５    基板
６    電球
７    電源部
８    スイッチ部
８０１Ａ、８０１Ｂ    接点
８０２    通電板
８０３    スイッチ
８０４    スプリング
１１    ヒンジ
１２    板バネ
【図１】
2006167219.tif 000003
【図２】
2006167219.tif 000004
【図３】
2006167219.tif 000005
【図４】
2006167219.tif 000006